(57)【要約】【課題】合成樹脂からなる中空のポール本体と、ポール本体の全長にわたって、該本体内に出し入れ可能に挿入される金属製の支持ポールとより構成し、ポール本体と支持ポールを固定手段により分離可能に固定してなるポールにおいて、車両等が衝突してポールが撓んだとき、中空のポール本体が裂けないようにする。【解決手段】合成樹脂製のポール本体２とアルマイト処理されたアルミニウム合金製の支持ポール３のコンクリート１０に埋設して固定される部分に直径方向の孔４、５をあけ、該孔４、５に合成樹脂製の硬質ロッド６を通して、ポール本体２と支持ポール３を一箇所でのみ連結し、コンクリート１０より突出する部分をフリーとする。ポール両側に突出するロッド６はアンカーとしての機能をも生ずる。【選択図】図１
2006077411.tif 000002
【特許請求の範囲】
【請求項１】
下端部を地中又はコンクリートに埋設して地上に設置されるポールにおいて、合成樹脂からなる中空のポール本体と、ポール本体の全長にわたってポール本体内にルーズに遊嵌される金属製の支持ポールと、ポール本体と支持ポールを分離可能に固定する固定手段よりなり、該固定手段によるポール本体と支持ポールの固定が地上に露出する部分では行われず、地中又はコンクリートへの埋設部分においてのみ行われるようにしたことを特徴とするポール。
【請求項２】
地中又はコンクリートより立設されるアンカー部材に１ないし複数か所で固定されて地上に設置されるポールにおいて、合成樹脂からなる中空のポール本体と、ポール本体の全長にわたってポール本体内にルーズに遊嵌される金属製の支持ポールと、ポール本体と支持ポールを分離可能に固定する固定手段よりなり、該固定手段によるポール本体と支持ポールの固定が、ポールをアンカー部材に固定する箇所より上方では行われず、ポールをアンカー部材に固定する箇所又はそれよりも下方においてのみ行なわれるようにしたことを特徴とするポール。
【請求項３】
ポール本体の合成樹脂には、帯電防止剤及び若しくは光触媒が添加されることを特徴とする請求項１又は２記載のポール。
【請求項４】
上記支持ポールが断面Ｈ形、Ｔ形、十字形、星印形、歯車形、長円形或いは多角形などの異形断面をなすことを特徴とする請求項１ないし３記載のポール。
【請求項５】
上記固定手段が中空のポール本体と支持ポールの直径方向にあけられた孔に通される硬質樹脂製のボルトと、ボルト端に捩込まれる同じく硬質樹脂製のナットよりなることを特徴とする請求項１ないし３記載のポール。
【請求項６】
上記固定手段が中空のポール本体と支持ポールの直径方向にあけられた孔に通され、少なくとも一側をポールより側方に突出させた金属または樹脂製のロッドよりなることを特徴とする請求項１ないし３記載のポール。
【請求項７】
支持ポールが中空体であり、上記固定手段が支持ポールの内側から治具を打ち込んでポール本体内周面に食い込むようにして突出させた１ないし複数の突起よりなることを特徴とする請求項１ないし３記載のポール。
【請求項８】
上記固定手段が支持ポールの端部より打ち込んだ楔により拡開され、ポール本体内周面に圧着する、支持ポール端部の拡開部であることを特徴とする請求項１ないし３記載のポール。
【請求項９】
上記固定手段がポール本体と支持ポールのうち、少なくともポール本体を押し潰して形成される扁平部であることを特徴とする請求項１ないし３記載のポール。
【請求項１０】
下端部が地中又はコンクリートに埋設して固定されて地上に設置されるか、或いは地中又はコンクリートより立設されるアンカー部材に固定されて上向きに突出するポールにおいて、合成樹脂からなる中空のポール本体と、ポール本体の全長にわたって、該本体内にルーズに遊嵌される金属製の支持ポールと、ポール本体と支持ポールを分離可能に抜け止めする抜け止め手段よりなり、上記抜け止め手段がポール本体の両端のうち、少なくとも一端に着脱可能に嵌着されるキャップであることを特徴とするポール。
【請求項１１】
上記支持ポールがポール本体より若干短めで、ポール本体のほぼ全長に挿入され、ポールが撓んだとき、支持ポールがポール本体より突出しないような長さに形成されていることを特徴とする請求項１０記載のポール。
【発明の詳細な説明】
【技術分野】
【０００１】
本発明は、例えば道路標識、防護柵、街路灯等に用いることができるポールに関する。
【背景技術】
【０００２】
道路標識、防護柵、街路灯には支柱としてポールが用いられている。従来のポールは一般に、鉄パイプの表面を塗装したものよりなっているが、重量が嵩むばかりでなく、塗装の落ちた箇所から腐食し易く、リサイクルも行いにくいうえ、車両等が衝突して変形したとき、あるいは復元しようとするとき、変形部分で裂け易く、すぐに交換しなくてはならない難点がある。
【０００３】
下記特許文献１には、リサイクル性を考慮してポールを合成樹脂からなる中空のポール本体と、ポール本体内に挿入される金属製の支持ポールとより構成し、廃棄時には両者を分離して粉砕、溶融し、それぞれをリサイクル原料として再利用できるようにしたものが開示されている。
【０００４】
この特許文献１にはまた、中空のポール本体と、該ポール本体内に挿入される支持ポールを両者の直径方向にあけた孔に通したボルトと、ボルト端に捩込んだナットを締め込むことによって連結し、ナットを外し、ボルトを抜き取ることによってポール本体と、支持ポールを分離可能に固定できるようにしたものが開示されている。そして、ポール本体と支持ポールに分離したのち、それぞれを粉砕したり、溶融することによりリサイクル原料として再利用できること、内側の支持ポールはポール本体内に納まっているので殆んど劣化せず、そのためポールの寿命が大幅に伸び、リサイクルする場合もそのまま再利用することができて、リサイクルがきわめて容易であること、ポール本体と支持ポールを分離可能に固着することによってがたつきもなく、不必要に分離することもないなどの利点があげられている。
【特許文献１】特開２００１−１３１９２８号
【発明の開示】
【発明が解決しようとする課題】
【０００５】
本発明の目的は、リサイクル可能で、自立可能なポールであって、合成樹脂からなる中空のポール本体と、ポール本体の全長にわたってポール本体内にルーズに遊嵌される金属製の支持ポールを有し、車両等が衝突してポールが撓んだときでも中空のポール本体が裂けるような大きな損害を蒙ることがないようにするものである。
【課題を解決するための手段】
【０００６】
本発明は、可端部が地中又はコンクリートに埋設固定されて地中に設置されるポールにおいて、合成樹脂からなる中空のポール本体と、ポール本体の全長にわたってポール本体内にルーズに遊嵌される金属製の支持ポールと、ポール本体と支持ポールを分離可能に固定する固定手段よりなり、該固定手段によるポール本体と支持ポールの固定が地上に露出する部分では行われず、地中又はコンクリートへの埋設部分においてのみ行われるようにしたものである。
【０００７】
本発明において、ポールは、下端部が地中或いはコンクリートに埋設されて固定されるが、その固定は下端部を単に地中或いはコンクリートに埋設することによって行われるようにしてもよいし、地中或いはコンクリートに埋設した円筒などの筒体に差込んでから行うようにしてもよい。
【０００８】
この筒体は地中に埋設されていても地上に突出していてもよいが、地上に突出している場合には、ポール本体と支持ポールとを固定する位置は、ポールが筒体に差し込まれた位置であれば地面より高くてもよい。
【０００９】
別の発明は、地中又はコンクリートより立設されるアンカー部材に１ないし複数か所で固定されて地上に設置されるポールにおいて、合成樹脂からなる中空のポール本体と、ポール本体の全長にわたってポール本体内にルーズに遊嵌される金属製の支持ポールと、ポール本体と支持ポールを分離可能に固定する固定手段よりなり、該固定手段によるポール本体と支持ポールの固定が、ポールをアンカー部材に固定する固定箇所又は固定箇所下方においてのみ行われ、固定箇所上方では行われないようにしたものである。これらのポール本体と支持ポールの固定箇所は、車両等がぶつかっても曲がることのない箇所であり、これによりポールの損傷を抑制することができる。
【００１０】
上記各発明において、支持ポールはポール本体の全長にわたってポール本体内に遊嵌されるが、支持ポールはポールが自立できる程度の長さを有していればよく、したがって全長とは、ポールが自立できる程度の長さをいい、支持ポールはポール本体より多少短くてもよい。
【００１１】
また、上記各発明で用いる中空のポール本体の合成樹脂としては、特に限定されないが、例えばポリエチレンやポリプロピレン等のようなリサイクルが容易であり、リサイクル時に有害物質の発生が少ないオレフィン系合成樹脂が望ましく、また架橋ポリエチレン、ポリプロピレン等の架橋ポリオレフィンのような形状記憶性を有するものでも良い。ポール本体が形状記憶性を有することにより車両等の衝突により折れ曲がったポールを復元する際、ポール本体が元の形状に復元され易くなり、再使用が可能となる。
【００１２】
合成樹脂にはまた、帯電防止剤や光触媒を加えるのが望ましい。ポールが屋外で用いられる場合には、ことに車の排気ガスや大気中の汚染物質によりポールが汚れ易いが、合成樹脂に帯電防止剤や光触媒を添加することにより、ポールの汚染を抑制することができ、また汚染した場合も洗浄が容易となり、そのためリサイクルも容易となる。
【００１３】
ここで用いられる帯電防止材としては、例えば非イオン性界面活性剤を、光触媒としてはアパタイト被覆酸化チタンを用いることができ、これら帯電防止剤や光触媒は、成形前の樹脂に練り込んでおくとよい。その添加量はポール本体全体に対してそれぞれ２０重量％以下、１０重量％以下でよい。
【００１４】
支持ポールは、ポール本体と同様、好ましくは中空状とされるが、中実であってもよく、また単一の部材より構成されていてもよいし、複数の部材を組合せて構成してもよい。中空状をなす場合、その断面は円形であっても角形であってもよいし、肉厚は均一であっても不均一であってもよく、内周には凹凸が形成されていてもよい。
【００１５】
また中実をなす場合、断面は円形であっても角形であってもよいが、例えば断面Ｈ形、Ｙ形、十字形、星印形、歯車形、長円形或いは三角形等の多角形等の異形断面とするのが望ましい。異形断面とすることにより支持ポールを軽量化することができると共に、ポール本体との接触をより少なくすることができるため、支持ポールの挿入がより容易になると共に、ポール本体と支持ポールとのずれが生じ易くなる。
【００１６】
支持ポールの材質の金属は特に限定されないが、代表的な例としては鉄、ステンレス、アルミニウム合金等が挙げられ、この中では軽量なアルミニウム合金が望ましい。鉄やアルミニウム合金を用いる場合には、腐食防止のため例えば鉄では表面に亜鉛メッキ処理を、アルミニウム合金ではアルマイト処理を行うのが望ましい。
【００１７】
上記各発明の固定手段としては、例えば中空のポール本体と支持ポールの長手方向と直交する方向にあけた孔に通されるボルトと、ボルト端に捩込まれるナット、上記孔に通して少なくとも一側、好ましくは両側をポールより突出させたロッド、中空状をなす支持ポールの内側からポンチ等の治具を打ち込んで支持ポール外周面にポール本体内周面に食い込むようにして突出させた１ないし複数の突起よりなるもの、支持ポールの下端より打ち込んだ楔により拡開し、ポール本体に圧着する支持ポール下端の拡開部、ポール本体のみを押し潰して支持ポールに圧着させる押し潰し部、ポール本体と支持ポールを共に断面扁平に押し潰したり、楔を打ち込んで断面Ｖ形になるように押し潰した押し潰し部などを挙げることができる。
【００１８】
上述の例示された固定手段のうち、ボルトやナットは着脱することにより、ロッドは抜き差しすることによりポール本体と支持ポールを分離可能に固定する機能と、ポール本体より側方に突出するボルトやナットとりわけロッドは、地中又はコンクリート内においてアンカー機能を有するようになり、ポールの地中又はコンクリートへの固定が確実に行えるようになる。
【００１９】
上述するボルトやナット或いはロッドは、金属製であってもよいが、好ましくは例えばポリプロピレンやポリエチレン等の硬質樹脂製とされる。金属製の支持ポールに通されるボルトやナット或いはロッドを硬質樹脂製とすることにより支持ポールとの電解による腐食を防ぐことができる。
【００２０】
またボルトやナットを樹脂製とした場合には更に、ポール本体外周面との密着性が増してボルトを通す孔からの雨水の侵入を防ぎ、支持ポールの腐食を防ぐことができる。この場合には更にポール本体とボルト頭部及びポール本体とナットとの間にシール材を挟み込んでおくのが望ましい。これによりボルト通し孔への雨水侵入防止効果をより一層高めることができる。
なお、ボルトとナットを樹脂製とする場合、両者は硬質材であればよく、同じ材質であっても異なった材質であってもよい。
【００２１】
固定手段が支持ポール外周面に形成される突起である場合、支持ポールはポール端を叩くなどして少しの力を加えて押し込むだけでポール本体から容易に分離することができる。なお、ポール本体の内周面への突起の食い込みは、ポール本体の外周面に変形を生じさせない程度で十分である。
【００２２】
固定手段が異形断面の支持ポール下端を拡開させた拡開部である場合、拡開部がポール本体内面に圧着することによって固定されるが、この場合も支持ポール端に少しの力を加えて押し込むだけでポール本体から容易に分離することができる。
固定手段が押し潰し部である場合、押し潰し部を地中又はコンクリートに埋設したときにポールの抜け止めと回転止めを行うことができる。
【００２３】
別の発明は、下端部が地中又はコンクリートに埋設して固定されて地上に設置されるか、或いは地中又はコンクリートより立設されるアンカー部材に固定されて上向きに突出するポールにおいて、合成樹脂からなる中空のポール本体と、ポール本体の全長にわたって、該本体内にルーズに遊嵌される金属製の支持ポールと、ポール本体の上下の両端のうち、その一端、好ましくは下端、より好ましくは上下両端にそれぞれ着脱可能に嵌着されるキャップよりなるものである。
【００２４】
キャップの材質としては、例えばゴム、樹脂、金属等を用いることができる。このキャップは、ポール本体に単に嵌着されているだけでもよいし、強制嵌合したり、接着剤により接着し、或いはヒータにより溶着して固定してもよい。
【００２５】
またキャップの内側に楔を突設してキャップをポール本体に押込んで嵌着したとき、楔が支持ポールに下端より押込まれ、支持ポール下端を径方向に拡開させるようにしてもよい。これにより支持ポールはポール本体内にキャップにより保持されると共に、支持ポール下端が楔により径方向に拡開してポール本体に圧着し、固定されるようになる。
【００２６】
キャップには更にシール性を高めるためにポール本体との接合面にｏリング等のシール材を装着してもよい。
本発明で用いる中空のポール本体及び支持ポールも上述する発明と同様のものを用いることができる。
【００２７】
上記各発明のポールにおいて、支持ポールはポール本体より短めで、ポール本体のほぼ全長に挿入され、ポールが撓んだとき、支持ポールがポール本体より突出しないような長さに形成されているのが望ましい。これにより車両等が衝突してポールが撓むようなことがあっても支持ポールがポール本体より突出してキャップを突き出し、キャップを外すようなことがなくなる。
【発明の効果】
【００２８】
本発明のポールによると、合成樹脂からなるポール本体の全長にわたって金属製の支持ポールが遊嵌されるため、ポールの自立性が確保される。そしてポールが地面又はコンクリートより突出する箇所或いはアンカー部材での固定箇所より上方では、ポール本体と支持ポールはルーズに遊嵌されて固定されておらず、互いにフリーであるため、車両等が衝突して撓んだとき、ポール本体と支持ポールが互いにずれを生じるので、ポール本体の内周側や外周側で裂け難くなり、車両等がぶつかって多少曲がったとしても真直ぐ元の状態に戻すことで交換せずにそのまま再利用することが可能となる。またポール本体と支持ポールに分離したのち、それぞれを粉砕したり、溶融することによりリサイクル原料として再利用できること、内側の支持ポールはポール本体内に納まっているので殆んど劣化せず、そのためポールの寿命が大幅に伸び、リサイクルする場合もそのまま再利用することができて、リサイクルがきわめて容易であること、ポール本体と支持ポールが分離可能に固着されることによって、がたつきもなく、不必要に分離することもないため、設置場所への運搬や施工が容易であること等の効果を奏する。
【００２９】
これに対して特許文献１に開示されるポール本体とポール本体に嵌挿されてポール本体上部まで延びる支持ポールは、下端部が地中又はコンクリート或いは地中又はコンクリートより立設されるアンカー部材にボルトとナットにより固定されるほか、上端部において標識などを取付けるために固定され、固定箇所が、上下で距離がはなれた（曲がる可能性がある部分を挟んで）二箇所以上あるため、車両等がぶつかってポールが撓むとき、固定部間のポール本体と、支持ポールは一体となって撓むようになり、強度の弱い樹脂製のポール本体が外周側でことに裂け易くなり、多少の曲がりであったとしても、ポール本体を交換しなければならなくなる。
【発明を実施するための最良の形態】
【００３０】
図１に示すポール１は、ポリエチレン製のパイプよりなる中空のポール本体２と、外径がポール本体２の内径よりφ０．２ｍｍ小さく、ポール本体２の全長にわたってポール本体内にルーズに遊嵌されるアルミニウム合金製のパイプよりなる支持ポール３とよりなり、ポール本体２と支持ポール３に長手方向と直交する直径方向にあけられた孔４、５に固定手段としてのナイロン製（ＰＡ６６）のロッド６が、その両側部をポール１より突出させて差し込まれ、両端から挿入されたゴム輪７によって抜け止めされている。
【００３１】
ポール１の上端において、道路標識８がポール１に巻き付けられるバンド（抱き締め金具）９によりポールと固定されている。図中、１０はポール１をその下端部Ａにおいて固定するコンクリートである。
【００３２】
本実施形態のポール１によると、ポール本体２と支持ポール３は、コンクリート１０内の一箇所においてのみロッド６により連結され、それより上方部分は互いにフリーであるため、車両等がポール１に衝突して撓むようなことがあってもポール本体２と支持ポール３は互いにずれて、樹脂製のポール本体２の内外周で裂けが生じにくくなり、また車両等がぶつかって多少曲がったとしても真直ぐに元の状態に戻すことでそのまま再利用することができる。更にロッドが樹脂製であることにより金属製支持ボールにあけられた孔との電解による腐食を防ぐことができること、ポール本体と支持ポールに分離したのち、それぞれを粉砕したり、溶融することによりリサイクル原料として再利用できること、内側の金属製の支持ポールはポール本体内に納まっているので殆んど劣化せず、そのためポールの寿命が大幅に伸び、リサイクルする場合もそのまま再利用することができて、リサイクルがきわめて容易であること、ポール本体と支持ポールを分離可能に固着することによってがたつきもなく、不必要に分離することもないため、持ち運びや施工が容易であること等の効果を奏する。
【００３３】
図２に示すポール１２は、上述するポール本体２と支持ポール３にあけられた孔４、５にナイロン樹脂製のボルト１３を通したのち、その突出部分に同じくナイロン樹脂製をなすナット１４を捩込み、ポール本体２と支持ポール３を連結している。
【００３４】
図３に示すポールは、下端部Ａが地中に埋設した鋼製の円筒体１６に差込まれ、ポールと円筒体の間の隙間には土砂１７を充填して固定されるようになっている。図中、１８は接続材である。この場合、ポール本体２と、ポール本体とルーズに遊嵌された支持ポール３との固定は、円筒体１６の中に収まる位置に設けられた孔（図示せず）に、図１に示すようにロッド６を通すことによって行ってもよいし、図２に示すようにボルト１３とナット１４によって行ってもよい。また円筒体１６や接続材１８との固定を行う際には、ロッド、ボルト−ナットやプラグを用いてよい。
【００３５】
図４に示すポール１９は、その下端部Ａにおいて、地面に突設される支柱よりなるアンカー部材２１にバンド２２にて上下で固定し、ポール本体２３と、該ポール本体２３にルーズに遊嵌される支持ポール２４とを下側のバンド２２に通したボルト２５にて連結したものである。
【００３６】
図示する例では、ポール１９は、アンカー部材２１にバンド２２にて二箇所で固定されているが、バンド２２−２２の間であれば、ボルト２５による固定は一箇所であってもよいし、複数箇所であってもよい。  また設置される都合上、図４に示すようにバンド２２（下側）より下に位置するポール１９は短くなっており、車両等が衝突しても曲がる可能性がないことから、バンド２２（下側）より更に下側の部分で固定してもかまわない。
【００３７】
図５は、アンカー部材を地面又はコンクリートに固定した金属製若しくは樹脂製の差込部材２０とし、ポール１９の下端部Ａを差込部材２０に差込んでボルト２５により一ないし複数箇所で固定するようにしたものである。
【００３８】
図６に示すポール２７は、ポリエチレン樹脂製のパイプよりなるポール本体２８内にその全長にわたってポール本体内にルーズに遊嵌されるように、アルマイト処理されたアルミニウム合金製のパイプよりなる支持ポール２９を挿入したのち、ポンチ３１により固定手段である楔状の突起３２を支持ポールの外周面に形成したものである。図示する例では、突起３２はポール本体内周面に食い込むようにして同一周面上の対称位置に突出形成されている。ここでは、突起３２は、同一円周の対称位置に形成されているが、一箇所にのみ形成してもよいし、同一円周上に三箇所以上又は異なった円周上に複数箇所形成してもよい。
【００３９】
本実施形態のポールでは、支持ポール２９の下端を図の矢印方向に叩いて押込むことにより支持ポール２９をポール本体２８より分離させることができる。
本実施形態のポールによると、ボルトやロッドを通すための孔があけられていないため、孔を通して雨水が浸入したり、電触を生じないようにボルトやロッドの材質に配慮する必要もない。
【００４０】
図７に示すポール３４は、合成樹脂製のポール本体３５内に、その全長にわたって金属製のパイプよりなる支持ポール３６をルーズに遊嵌したのち、地中又はコンクリートに埋設される部分を押し潰して扁平部３７を形成してなるものである。
図８に示すポール３８は、下端部に扁平部３９を形成してなるもので、これらの扁平部３７、３９が支持ポール３６とポール本体３５の固定手段となるものである。
【００４１】
図９に示すポール４０は、ポリエチレン製のポール本体４１内に、その全長にわたって断面が十字形をなすアルミニウム合金製の支持ポール４２をルーズに遊嵌してなるものであり、ポール本体４１と支持ポール４２とを固定する手段は、図１０に示すように、支持ポール４２の下端に楔を打ち込んで拡開させた拡開部４３により支持ポール４２をポール本体４１に固定してなるものである。この支持ポール４２は、断面が十字形をなすものに代え、断面がＨ形、Ｔ形、Ｙ形、星印形、歯車状、長円形、三角形等の多角形、或いは内歯車のように内周面を凹凸にしたもの等を用いることができ、また二つ以上の部材を組合せたものを用いることもできる。
【００４２】
図１１に示すポール４５は、上述するポール本体２、２３、３５と同じ合成樹脂製のポール本体４６内に、ポール本体より若干短いアルミニウム合金製のパイプよりなる支持ポール４７を全長にわたってルーズに遊嵌されるように挿入したのち、両端にキャップ４８、４９を嵌着して密封し、下端部Ａをコンクリート５１に埋設して固定してなるものである。
【００４３】
本実施形態のポールによると、ポール本体が密封されるため支持ポールの腐食が確実に防止される。また支持ポール４７はポール本体４６より若干短いために、立設したときには、その自重により上端がポール本体４６より僅かに引っ込んだ状態となる。この状態で車両等が衝突してポール４５が撓んだとしても、支持ポール４７はポール本体より突出することなく、上端のキャップ４８を突き上げて該キャップ４８を外すようなことがなくなる。
【００４４】
キャップを用いる場合、図１２に示すように、キャップ５３の内側に楔５４を突設したものを用いれば、キャップ５３を強く押込んでポール本体４６に嵌着したとき、楔５４が支持ポール４７下端を内側より径方向外方に押し拡げて拡開し、支持ポール下端をポール本体４６に圧着して固定することができる。
【産業上の利用可能性】
【００４５】
本発明のポールは、道路標識を取付けるためのポールのみならず、街路灯を取付けるためのポール、防護柵用のポール等、道路付帯設備に用いることができる。
【図面の簡単な説明】
【００４６】
【図１】本発明に係わるポールの一使用例を示す縦断面図。
【図２】本発明に係わるポールの別の例を示す要部の縦断面図。
【図３】本発明に係わるポール基部の一固定例を示す縦断面図。
【図４】本発明に係わるポールの別の使用例を示す部分断面正面図。
【図５】ポールの取付けの別の態様を示す概略図。
【図６】本発明に係わるポールの要部の縦断面図。
【図７】本発明に係わるポールの別の例の要部の縦断面図。
【図８】本発明に係わるポールの更に別の例の要部の縦断面図。
【図９】本発明に係わるポールの別の例の横断面図。
【図１０】図９に示すポールの下端部の縦断面図。
【図１１】キャップにより支持ポールを固定した例を示す縦断面図。
【図１２】別の例の要部の縦断面図。
【符号の説明】
【００４７】
１、１２、１５、１９、２７、３８、４０、４５・・ポール
２、２３、３５、４１、４６・・ポール本体
３、２４、３６、４２、４７・・支持ポール
４、５・・孔
６・・ロッド
７・・ゴム輪
８・・道路標識
９、２２・・バンド
１０、５１・・コンクリート
１３、２５・・ボルト
１４・・ナット
１６・・円筒体
１７・・土砂
１８・・接続材
２０・・差込部材
２１・・アンカー部材
３１・・ポンチ
３２・・突起
３７、３９・・扁平部
４３・・拡開部
４８、４９、５３・・キャップ
５４・・楔
Ａ・・・パイプ本体と支持ポールの固定が可能な範囲例
【図１】
2006077411.tif 000003
【図２】
2006077411.tif 000004
【図３】
2006077411.tif 000005
【図４】
2006077411.tif 000006
【図５】
2006077411.tif 000007
【図６】
2006077411.tif 000008
【図７】
2006077411.tif 000009
【図８】
2006077411.tif 000010
【図９】
2006077411.tif 000011
【図１０】
2006077411.tif 000012
【図１１】
2006077411.tif 000013
【図１２】
2006077411.tif 000014